(57)【要約】【課題】冷蔵庫の運転負荷状態を、圧縮機の運転状態、各貯蔵室の設定温度等により、総合的に判断し、それを表示することによって、使用者に対し、より正確な冷蔵庫の運転状態を報知する冷蔵庫を得る。【解決手段】Ｓ１において、各貯蔵室の設定温度に基づいて、負荷レベルＡを算出する。Ｓ１〜Ｓ５による負荷レベルの算出が行われた後、負荷レベルＡ〜Ｅの合計を冷蔵庫の負荷レベルαとして算出される（Ｓ６）。負荷レベルαが３以上の場合は、運転負荷状態が「大」と判定される（Ｓ１３）。【選択図】図５
2010038449.tif 000002
【特許請求の範囲】
【請求項１】
複数の貯蔵室と、
前記貯蔵室を冷却するための、圧縮機を含む冷凍サイクルと、
各種設定及び各種操作を行う操作手段と、
前記操作手段によって設定された情報及び冷蔵庫の運転状態を表示する表示手段と、
前記操作手段によって設定された情報を記憶する記憶手段と、
前記冷凍サイクル及び前記表示手段を制御する制御装置と、
を備え、
前記制御装置は、前記冷蔵庫の使用状況によって、前記冷蔵庫の現在の負荷レベルを算出し、その負荷レベルに基づいて、前記冷蔵庫の現在の運転負荷状態を判断し、
前記表示手段は、前記運転負荷状態を表示する
ことを特徴とする冷蔵庫。
【請求項２】
前記制御装置は、前記負荷レベルに基づいて、前記冷蔵庫の現在の運転負荷状態を数段階に区別して判断する
ことを特徴とする請求項１記載の冷蔵庫。
【請求項３】
前記記憶手段は、所定の基準設定温度を記憶し、
前記操作手段は、複数の前記貯蔵室のうちいずれか又は全てについて、設定温度を設定し、
前記制御装置は、前記設定温度が、前記基準設定温度よりも低いと判定した場合には、前記負荷レベルを増加させ、前記基準設定温度よりも高いと判定した場合には、前記負荷レベルを減少させる
ことを特徴とする請求項１又は請求項２記載の冷蔵庫。
【請求項４】
複数の前記貯蔵室の扉のうちいずれか又は全てについて、開かれた回数をカウントする扉開回数カウント手段を備え、
前記記憶手段は、所定の基準扉開回数を記憶し、
前記制御装置は、前記扉開回数カウント手段によってカウントされた前記開かれた回数が、前記基準扉開回数を超えたと判定した場合に、前記負荷レベルを増加させる
ことを特徴とする請求項１〜請求項３のいずれかに記載の冷蔵庫。
【請求項５】
複数の前記貯蔵室の扉のうちいずれか又は全てについて、１回開かれたときの開時間、又は、累積した開時間を計測する扉開時間計測手段を備え、
前記記憶手段は、所定の基準扉開時間を記憶し、
前記制御装置は、前記扉開時間計測手段によって計測された前記開時間が、前記基準扉開時間を超えたと判定した場合に、前記負荷レベルを増加させる
ことを特徴とする請求項１〜請求項４のいずれかに記載の冷蔵庫。
【請求項６】
前記圧縮機の回転数を検出する回転数検出手段を備え、
前記記憶手段は、所定の基準回転数を記憶し、
前記制御装置は、前記回転数検出手段によって検出された前記回転数が、前記基準回転数を超えたと判定した場合に、前記負荷レベルを増加させる
ことを特徴とする請求項１〜請求項５のいずれかに記載の冷蔵庫。
【請求項７】
前記圧縮機の、一度起動してから次に停止するまでの運転時間、又は、累積した運転時間を計測する運転時間計測手段を備え、
前記記憶手段は、所定の基準運転時間を記憶し、
前記制御装置は、前記運転時間計測手段によって計測された前記運転時間が、前記基準運転時間を超えたと判定した場合に、前記負荷レベルを増加させる
ことを特徴とする請求項１〜請求項６のいずれかに記載の冷蔵庫。
【請求項８】
前記冷蔵庫が設置された場所の外気温度を検出する外気温度検出手段を備え、
前記記憶手段は、所定の基準外気温度を記憶し、
前記制御装置は、前記外気温度検出手段によって検出された前記外気温度が、前記基準外気温度を超えたと判定した場合に、前記負荷レベルを増加させる
ことを特徴とする請求項１〜請求項７のいずれかに記載の冷蔵庫。
【請求項９】
前記制御装置は、前記操作手段によって、急冷操作が実施されたと判定した場合に、前記負荷レベルを増加させる
ことを特徴とする請求項１〜請求項８のいずれかに記載の冷蔵庫。
【請求項１０】
複数の貯蔵室と、
前記貯蔵室を冷却するための、圧縮機を含む冷凍サイクルと、
各種設定及び各種操作を行う操作手段と、
前記操作手段によって設定された情報及び冷蔵庫の運転状態を表示する表示手段と、
前記操作手段によって設定された情報を記憶する記憶手段と、
前記冷凍サイクル及び前記表示手段を制御する制御装置と、
複数の前記貯蔵室の扉のうちいずれか又は全てについて、開かれた回数をカウントする扉開回数カウント手段、複数の前記貯蔵室の扉のうちいずれか又は全てについて、１回開かれたときの開時間、又は、累積した開時間を計測する扉開時間計測手段、前記圧縮機の回転数を検出する回転数検出手段、前記圧縮機の、一度起動してから次に停止するまでの運転時間、又は、累積した運転時間を計測する運転時間計測手段、及び、前記冷蔵庫が設置された場所の外気温度を検出する外気温度検出手段のうち、いずれか複数又は全部からなる運転状態検出手段と、
を備え、
前記制御装置は、前記操作手段によって設定された、複数の前記貯蔵室のうちいずれか又は全ての設定温度、前記運転状態検出手段によって出力される運転状態結果、及び、前記操作手段による急冷操作の有無のうち、いずれか複数又は全部に基づいて、前記冷蔵庫の現在の負荷レベルを算出し、その負荷レベルに基づいて、前記冷蔵庫の現在の運転負荷状態を判断し、
前記表示手段は、前記運転負荷状態を表示する
ことを特徴とする冷蔵庫。
【発明の詳細な説明】
【技術分野】
【０００１】
本発明は、運転負荷状態を表示する冷蔵庫に関するものである。
【背景技術】
【０００２】
従来、回転数可変型の圧縮機を備えた冷蔵庫において、冷蔵庫の庫内温度等を表示する表示部に、圧縮機の回転数を表す各段階を表示できるようにし、圧縮機の回転数が高い場合は、使用者が扉の開閉を控えたりすることで、消費電力の低減が図られていた。（例えば、特許文献１参照）
【０００３】
また、所定の時間（例えば、２４時間）中の圧縮機の運転時間をカウントする手段を備えた冷蔵庫において、圧縮機の運転時間が一定の時間を越えた場合は、予め記憶された画像を表示部に表示させることで、どの程度圧縮機が動作したのかを使用者に報知することができていた。（例えば、特許文献２参照）
【０００４】
【特許文献１】ＷＯ２００５／０２６６３２号公報（第１３頁、図４）
【特許文献２】特開２０００−３２９４５０号公報（第９頁、図３）
【発明の開示】
【発明が解決しようとする課題】
【０００５】
しかしながら、上記冷蔵庫は、圧縮機の運転状態のみを使用者に報知するが、実際の冷蔵庫の運転状態は、圧縮機の運転状態のみに基づいて決定されるわけではなく、各貯蔵室の設定温度や、外気温度等により変化するため、総合的な運転状態を把握することが困難であるという問題があった。
【０００６】
本発明は、上記のような問題を解決するためになされたものであり、冷蔵庫の運転負荷状態を、圧縮機の運転状態だけでなく、各貯蔵室の設定温度、外気温度等により、総合的に判断し、それを表示することによって、使用者に対し、より正確な冷蔵庫の運転状態を報知する冷蔵庫を得ることを目的とする。
【課題を解決するための手段】
【０００７】
本発明に係る冷蔵庫は、複数の貯蔵室と、前記貯蔵室を冷却するための、圧縮機を含む冷凍サイクルと、各種設定及び各種操作を行う操作手段と、前記操作手段によって設定された情報及び冷蔵庫の運転状態を表示する表示手段と、前記操作手段によって設定された情報を記憶する記憶手段と、前記冷凍サイクル及び前記表示手段を制御する制御装置と、を備え、前記制御装置は、前記冷蔵庫の使用状況によって、前記冷蔵庫の現在の負荷レベルを算出し、その負荷レベルに基づいて、前記冷蔵庫の現在の運転負荷状態を総合的に判断し、前記表示手段は、前記運転負荷状態を表示する。
【発明の効果】
【０００８】
本発明に係る冷蔵庫は、冷蔵庫の運転負荷状態を、圧縮機の運転状態、各貯蔵室の設定温度、又は、外気温度等に基づいて、総合的に判断し、それを表示することによって、使用者に対し、より正確な冷蔵庫の運転状態を報知することができる。また、冷蔵庫の運転状態を報知することによって、使用者に対し、負荷の少ない運転を促すことができる。
【発明を実施するための最良の形態】
【０００９】
以下、本発明の実施の形態について、図面を参照しながら説明する。
図１は、本実施の形態に係る冷蔵庫の正面図である。冷蔵庫１００は最上段に冷蔵室１０１を備えており、冷蔵室１０１は冷蔵室扉１１１を有している。冷蔵室１０１の下には、製氷室扉１１２を有する製氷室１０２、野菜室扉１１３を有する野菜室１０３、冷凍室扉１１４を有する冷凍室１０４、及び、切替室扉１１５を有する切替室１０５がそれぞれ備えられている。冷蔵室扉１１１には、操作パネル１が取り付けられている。また、各貯蔵室には、扉の開閉を検知するドアスイッチ２３（後述の図４参照）、及び、各貯蔵室内の温度を検知する温度センサ２４(後述の図４参照)が備えられている。
冷蔵室１０１が開いた場合には冷蔵室１０１内の庫内灯が点灯する。
【００１０】
図２は、図１の冷蔵庫の側断面図である。冷蔵庫１００の背面上部に、制御装置２が取り付けられている。その冷蔵庫１００内部の下方に冷却器３、圧縮機４、及びファン５が設置されている。また、製氷室１０２の内部には、製氷機６が取り付けられている。ここで、制御装置２は、例えば、マイクロコントローラ等の演算装置を備える。
冷却器３、圧縮機４等から構成される冷凍サイクルによって生成された冷気は、ファン５によって冷蔵庫内の風路を循環する。また、制御装置２は、温度センサ２４を介して、各貯蔵室内の温度を取得し、その温度が、設定した温度になるように、各貯蔵室へ通じる風路に取り付けられた開閉弁(図示省略)の開け閉めを行う。さらに、制御装置２は、圧縮機４やファン５の駆動のＯＮ／ＯＦＦ等の制御を行う。
【００１１】
図３は、図１の冷蔵庫の操作パネルの正面図である。操作パネル１には、操作を行いたい貯蔵室を選択するための部屋選択スイッチ１１、その部屋選択スイッチ１１によって選択された貯蔵室の設定温度を変更する温度設定スイッチ１２、その選択された貯蔵室の急冷操作を行う急冷スイッチ１３、及び、製氷の動作状態を切り替える製氷切替スイッチ１４が設けられている。また、同じく操作パネル１には、使用者が選択した設定情報等を表示する表示部１５と、外気温度を検知する外気センサ２５（後述の図４参照）が設けられている。その表示部１５は、冷蔵庫の運転負荷状態を数段階（例えば４段階）に分けて表示する運転状態表示部１６を備えている。さらに、その運転状態表示部１６は、冷蔵庫の負荷レベルに基づいて点灯する運転状態ランプ１６ａ、１６ｂ及び１６ｃを備えている。
冷蔵庫の負荷レベルが小さい場合には、全ての運転状態ランプ１６ａ、１６ｂ及び１６ｃが点灯し、逆に、負荷レベルが大きい場合は、全ての運転状態ランプ１６ａ、１６ｂ及び１６ｃが消灯する。また、負荷レベルが中間の場合は、その負荷レベルに応じて、運転状態ランプ１６ａのみ、又は運転状態ランプ１６ａと１６ｂが点灯する。
【００１２】
図４は、本実施の形態に係る冷蔵庫の制御ブロック図である。制御装置２には、各貯蔵室に設置された温度センサ２４、操作パネル１に設置された外気センサ２５、圧縮機４やファン５等の各アクチュエータ、及び、操作パネル１が接続されている。また、制御装置２には、設定や運転状態を記憶する記憶装置２１が備えられ、さらに、扉開回数カウント手段２６、扉開時間計測タイマ２７、回転数検出手段２８、及び、運転時間計測タイマ２９が備えられている。制御装置２に備えられている扉開回数カウント手段２６及び扉開時間計測タイマ２７には、各貯蔵室に設置されたドアスイッチ２３が接続されている。また、同じく制御装置２に備えられている回転数検出手段２８及び運転時間計測タイマ２９には、圧縮機４が接続されている。運転状態検出手段５１は、外気センサ２５、扉開回数カウント手段２６、扉開時間計測タイマ２７、回転数検出手段２８、及び、運転時間計測タイマ２９のうちいずれか複数又は全部から構成され、本実施の形態に係る冷蔵庫の運転状態の情報を総合的に検出する。
扉開回数カウント手段２６及び扉開時間計測タイマ２７は、ドアスイッチ２３による各貯蔵室の扉の開閉の検出結果に基づいて、それぞれ、扉が開かれた回数をカウント、及び、扉が開かれている時間を計測する。温度センサ２４は、各貯蔵室内の温度を検出し、制御装置２にその温度を出力する。同様に、外気センサ２５は、外気温度を検出し、制御装置２にその外気温度を出力する。操作パネル１は、使用者によって操作又は設定した情報を制御装置２に出力し、制御装置２は、その情報を記憶装置２１に記憶する。逆に、制御装置２は、冷蔵庫の運転状態や設定内容等の情報を操作パネル１に出力し、操作パネル１は、受信した情報を表示部１５に表示する。また、制御装置２は、圧縮機４及びファン５に対し駆動信号を出力し駆動させる。回転数検出手段２８は、圧縮機４の回転数を検出し、運転時間計測タイマは、圧縮機４の運転時間を計測する。
【００１３】
上記のように構成した冷蔵庫の動作について、以下にフローチャートを参照しながら説明する。
【００１４】
図５は、本実施の形態に係る冷蔵庫の動作フローチャートである。まず、Ｓ１において、制御装置２は、使用者が操作パネル１を操作して設定した、各貯蔵室の設定温度に基づいて、負荷レベルＡを算出する。以下、負荷レベルの算出及び運転負荷状態の判定は、制御装置２が実施するものとする。次に、各貯蔵室の扉の開閉状態に基づいて、負荷レベルＢが算出される（Ｓ２）。続けて、圧縮機の運転状態に基づいて負荷レベルＣ（Ｓ３）、外気センサ２５によって検出された外気温度に基づいて負荷レベルＤ（Ｓ４）、操作パネル１からの操作によって実施される各貯蔵室の急冷操作の実施状況に基づいて負荷レベルＥ（Ｓ５）が算出される。Ｓ１〜Ｓ５において負荷レベルの算出が行われた後、負荷レベルＡ〜Ｅの合計を冷蔵庫の負荷レベルαとして算出される（Ｓ６）。冷蔵庫の負荷レベルαが、記憶装置２１に記憶された所定の値（例えば−３）未満の場合（Ｓ７）は、運転負荷状態が「極小」と判定される（Ｓ８）。負荷レベルαが−３以上の場合は、記憶装置２１に記憶された次の所定の値（例えば０）より小さいかどうかの判定が行われ（Ｓ９）、０未満の場合は、運転負荷状態が「小」と判定される（Ｓ１０）。そして、負荷レベルαが０以上の場合は、記憶装置２１に記憶された次の所定の値（例えば３）より小さいかどうかの判定が行われ（Ｓ１１）、３未満の場合は、運転負荷状態が「中」と判定される（Ｓ１２）。さらに、負荷レベルαが３以上の場合は、運転負荷状態が「大」と判定される（Ｓ１３）。
【００１５】
図６は、図５のフローチャートの動作結果に基づく冷蔵庫の運転負荷状態の表示例である。上記のように、運転負荷状態が「極小」と判定された場合には、図６（ａ）で示されるように、操作パネル１上の運転状態表示部１６の運転状態ランプ１６ａ、１６ｂ及び１６ｃの全てが点灯する。また、運転負荷状態が「小」と判定された場合には、図６（ｂ）で示されるように、運転状態ランプ１６ａ及び１６ｂのみが点灯する。そして、運転負荷状態が「中」と判定された場合には、図６（ｃ）で示されるように、運転状態ランプ１６ａのみが点灯する。さらに、運転負荷状態が「大」と判定された場合には、図６（ｄ）で示されるように、運転状態ランプ１６ａ、１６ｂ及び１６ｃの全てが消灯する。
【００１６】
なお、図５では、負荷レベルＡ〜Ｅの５つの要因を全て冷蔵庫の負荷レベルαの判定材料としているが、これに限らず、例えば、図７で示されるように、各貯蔵庫の設定温度に基づいて算出される負荷レベルＡと、各貯蔵室の扉の開閉状態に基づいて算出される負荷レベルＢというように、特定の要因から負荷レベルαが算出されてもよい。
また、図５では、運転負荷状態の判定が４段階に区別されているが、これに限らず、任意の段階に区別されるものとしてもよく、その他の方法により区別されてもよい。例えば、図７で示されるように、上記の図５における説明において、負荷レベルαが３以上の場合に、さらに、記憶装置２１に記憶された別の所定の値（例えば６）より小さいかの判定が行われるものとして（Ｓ１４）、６未満の場合に、運転負荷状態が「大」と判定され、負荷レベルαが６以上の場合には、運転負荷状態が「極大」と判定されるものとしてもよい（Ｓ１５）。このとき、図６において、運転状態表示部１６は、運転負荷状態を区別して表示するため、運転状態ランプ１６ａ、１６ｂ及び１６ｃの３つのランプの点灯の組み合わせにより表示していたが、これに限らず、異なる数のランプを設置して、任意の段階に区別して表示するものとしてもよく、又は、異なる模様や形状のランプその他の表示手段を設置して表示するものとしてもよい。また、運転負荷状態が段階的に区別されて表示されるのではなく、連続的な数値によって表示するものとしてもよく、その他の方法により表示されてもよい。
また、図５では、負荷レベルＡ、Ｂ、Ｃ、Ｄ、Ｅの順序で算出が行われているが、これに限らず、図８で示されるように、各要因による負荷レベルの算出順序は、任意の順序としてもよい。
【００１７】
次に各要因による負荷レベルの算出方法を説明する。
図９は、各貯蔵室の設定温度に基づく負荷レベルＡの算出（Ｓ１）のフローチャートである。使用者は、予め、操作パネル１の部屋選択スイッチ１１を操作することにより、設定温度を設定する貯蔵室として、冷蔵室１０１を選択し、次に、温度設定スイッチ１２を操作することにより、冷蔵室１０１の設定温度を「弱」（高温）から「強」（低温）まで数段階（例えば５段階）の中から選択しておくことが可能である。制御装置２は、その設定温度が「中」（真ん中の設定）より低いかどうかの判定を行う（Ｓ１０１）。その設定温度が「中」よりも低いと判定した場合は、冷蔵室１０１内の温度がより低温に調節されなければならないため、負荷レベルＡを＋１する（Ｓ１０２）。以下、設定温度の判定及び負荷レベルＡの算出は、制御装置２が実施するものとする。また、低くないと判定された場合は、その設定温度が「中」より高いかどうかの判定が行われる（Ｓ１０３）。その設定温度が「中」よりも高いと判定された場合は、冷蔵室１０１内の温度があまり冷却されなくてよいため、負荷レベルＡが−１される（Ｓ１０４）。高くないと判定された場合は、「中」が選択されているため、負荷レベルＡはそのままとされる。ここで、上記では、「中」が基準とされているが、これに限らず、別の設定温度が基準とされてもよい。
【００１８】
次に切替室１０５の設定温度に基づいて判定が行われる。ここで、使用者は、予め、操作パネル１の部屋選択スイッチ１１を操作することにより、設定温度を設定する貯蔵室として、切替室１０５を選択し、次に、温度設定スイッチ１２を操作することにより、切替室１０５の設定温度を、例えば、約−１８℃の「冷凍」設定、約−７℃の「ソフト冷凍」設定、約−１℃の「チルド」設定、及び、約３℃の「冷蔵」設定というように、４段階のいずれかに切り替えて設定しておくことが可能である。その設定温度が「ソフト冷凍」より低いかどうかの判定が行われる（Ｓ１０５）。その設定温度が「ソフト冷凍」よりも低いと判定された場合は、切替室１０５内の温度がより低温に調節されなければならないため、負荷レベルＡは＋１される（Ｓ１０６）。また、低くないと判定された場合は、その設定温度が「ソフト冷凍」より高いかどうかの判定が行われる（Ｓ１０７）。その設定温度が「ソフト冷凍」よりも高いと判定された場合は、切替室１０５内の冷却にはあまり負荷がかからないため、負荷レベルＡが−１される（Ｓ１０８）。高くないと判定された場合は、「ソフト冷凍」が選択されているため、負荷レベルはそのままとされる。ここで、上記では、「ソフト冷凍」が基準とされているが、これに限らず、別の設定温度が基準とされてもよい。
【００１９】
次に野菜室１０３、そして、冷凍室１０４の設定温度に基づいて判定及び負荷レベルＡの算出（Ｓ１０９〜Ｓ１１６）が行われるが、冷蔵室１０１の設定温度に基づく判定と同様である。各貯蔵室の設定温度ごとに負荷レベルＡに対して演算された結果、最終的に負荷レベルＡが算出される。例えば、各貯蔵室の設定温度について、冷蔵室１０１については「弱」、切替室１０５については「冷蔵」、野菜室１０３については「強」、及び、冷凍室１０４については「中」と設定された場合は、それらの設定温度に基づいて、負荷レベルＡは−１（＝−１−１＋１＋０）と算出される。
【００２０】
なお、図９では、すべての貯蔵室の設定温度が負荷レベルＡの判定材料とされているが、これに限らず、例えば、冷蔵室１０１及び冷凍室１０４というように、特定の貯蔵室の設定温度だけが判定材料とされるものとしてもよい。
また、どの貯蔵室の設定温度に基づく負荷レベルＡの算出においても、負荷レベルＡが±１されているが、これに限らず、例えば、冷蔵室１０１の設定温度に基づく負荷レベルＡの算出においては±２、冷凍室１０４の設定温度に基づく負荷レベルＡの算出においては±３というように、各貯蔵室毎に負荷レベルＡの算出に重みをつけてもよい。
さらに、図９では、冷蔵室１０１、切替室１０５、野菜室１０３、冷凍室１０４の順番で、それぞれの設定温度に基づいて負荷レベルＡの算出が行われているが、これに限らず、任意の順番で算出されてもよい。
【００２１】
図１０は、特定の貯蔵室の扉の開閉回数に基づく負荷レベルＢの算出（Ｓ２）のフローチャートである。まず、制御装置２は、霜取りが開始されたかどうかの判定を行う（Ｓ２０１）。そして、制御装置２は、霜取りが開始されたと判定した場合は、扉開回数カウント手段２６（図４参照）によってカウントされた特定の貯蔵室の扉の開閉回数を、０回にリセットする（Ｓ２０２）。また、霜取りが開始されていないと判定した場合は、そのまま次のステップに移行する。霜取りは、例えば、約１日１回行われているとすると、霜取り開始から次回霜取り開始までの特定の貯蔵室の扉の開閉回数が、扉開回数カウント手段２６によってカウントされることで、約１日の開閉回数がカウントされることが可能となる。
【００２２】
次のステップでは、制御装置２は、扉開回数カウント手段２６によってカウントされた特定の貯蔵室の扉の開閉回数が、記憶装置２１に記憶された所定の回数（例えば２０回）を超えたかどうかの判定を行う（Ｓ２０３）。そして、制御装置２が、その開閉回数が２０回を超えたと判定した場合は、扉開閉による負荷が大きいと判断し、負荷レベルＢを＋１する（Ｓ２０４）。超えていないと判定した場合は、そのまま負荷レベルＢについての判定を終了する。
【００２３】
なお、図１０では、特定の貯蔵室の扉の開閉回数によって、負荷レベルＢの判定が行われているが、これに限らず、図１１で示されるように、扉開時間計測タイマ２７（図４参照）によって計測された、特定の貯蔵室の扉が開いている時間によって、負荷レベルＢの判定が行われるものとしてもよい（Ｓ２１１〜Ｓ２１４）。例えば、制御装置２は、特定の貯蔵室の扉が１回開かれた場合の開時間が、記憶装置２１に記憶された所定の時間（例えば２０秒）を超えたかどうかの判定を行い（Ｓ２１３）、超えたと判定した場合は、負荷レベルＢを＋１する（Ｓ２１４）ものとしてもよい。超えてないと判定した場合は、そのまま負荷レベルＢについての判定を終了する。また、その扉の開時間がリセットされるタイミングについては、図１０で示される扉の開閉回数がリセットされるタイミングと同様である（Ｓ２１１、Ｓ２１２）。
また、図１１では、特定の貯蔵室の扉が１回開かれた場合の開時間によって、負荷レベルＢの判定が行われているが、これに限らず、扉開時間計測タイマ２７によって、例えば、霜取り開始から次回の霜取り開始までの、特定の貯蔵室の扉についての累積した開時間が計測されるものとしてもよい。このとき、制御装置２は、その累積した扉開時間が、記憶装置２１に記憶された所定の時間（例えば２０分）を超えたかどうかの判定を行い、超えたと判定した場合は、負荷レベルＢを＋１するものとしてもよい。
また、図１２で示されるように、上記で説明した特定の貯蔵室の扉の開閉回数と開時間の両方が、負荷レベルＢの判定材料とされるものとしてもよい（Ｓ２２１〜Ｓ２２６）。このとき、図１２では、開時間についての判定（Ｓ２２３、Ｓ２２４）がされた後に、開閉回数についての判定（Ｓ２２５、Ｓ２２６）がされているが、逆の順序にしてもよい。このとき、開時間及び開閉時間がリセットされるタイミングは図１０及び図１１と同様である（Ｓ２２１、Ｓ２２２）。
また、ここまでの説明において、制御装置２が、霜取りが開始されたと判定した場合に、特定の貯蔵室の扉の開閉回数及び開時間をリセットしているが、これに限らず、他の条件によってリセットするものとしてもよい。
また、ここまでの説明において、特定の貯蔵室の扉の開閉回数又は開時間が、負荷レベルＢの判定材料とされているが、これに限らず、複数の、又は、すべての貯蔵室の扉の開閉回数又は開時間が、負荷レベルＢの判定材料とされるものとしてもよい。
さらに、ここまでの説明において、負荷レベルＢが算出される場合、＋１されるものとしているが、これに限らず、例えば＋２、＋３というように重みを変えてもよい。
【００２４】
図１３は、圧縮機の回転数に基づく負荷レベルＣの算出（Ｓ３）のフローチャートである。まず、制御装置２は、回転数検出手段２８（図４参照）によって検出された圧縮機の回転数が、記憶装置２１に記憶された所定の回転数（例えば７０ｒｐｓ）を超えているかどうかの判定を行う（Ｓ３０１）。そして、制御装置２が、その回転数が７０ｒｐｓを超えたと判定した場合は、高回転で運転していることによって負荷が大きいと判断し、負荷レベルＣを＋１する（Ｓ３０２）。超えていないと判定した場合は、そのまま負荷レベルＣについての判定を終了する。
【００２５】
なお、図１３では、圧縮機の回転数によって、負荷レベルＣの判定が行われているが、これに限らず、図１４で示されるように、運転時間計測タイマ２９（図４参照）によって計測された、圧縮機の１回の連続運転時間によって、負荷レベルＣの判定が行われるものとしてもよい（Ｓ３１１、Ｓ３１２）。例えば、制御装置２は、その連続運転時間が、記憶装置２１に記憶された所定の時間（例えば３時間）を超えたかどうかの判定を行い（Ｓ３１１）、超えたと判定した場合は、負荷レベルＣを＋１する（Ｓ３１２）。超えていないと判定した場合は、そのまま負荷レベルＣについての判定を終了する。
また、図１４では、圧縮機の１回の連続運転時間によって、負荷レベルＣの判定が行われているが、これに限らず、運転時間計測タイマ２９によって、圧縮機の累積した運転時間が計測されるものとしてもよい。このとき、制御装置２は、その累積した運転時間が、記憶装置２１に記憶された所定の時間（例えば１０時間）を超えたかどうかの判定を行い、超えたと判定した場合は、負荷レベルＣを＋１するものとしてもよい。
また、図１５で示されるように、上記で説明した圧縮機の回転数と連続運転時間の両方が、負荷レベルＣの判定材料とされるものとしてもよい（Ｓ３２１〜Ｓ３２４）。このとき、図１５では、回転数についての判定（Ｓ３２１、Ｓ３２２）がされた後に、連続運転時間についての判定（Ｓ３２３、Ｓ３２４）がされているが、逆の順序にしてもよい。
さらに、ここまでの説明において、負荷レベルＣが算出される場合、＋１されるものとしているが、これに限らず、例えば＋２、＋３というように重みを変えてもよい。
【００２６】
図１６は、外気温度に基づく負荷レベルＤの算出（Ｓ４）のフローチャートである。まず、制御装置２は、外気センサ２５（図４参照）によって検出された外気温度が、記憶装置２１に記憶された所定の温度（例えば３０℃）を超えているかどうかの判定を行う（Ｓ４０１）。そして、制御装置２は、その外気温度が３０℃を超えたと判定した場合は、外気温度が高いことによって負荷が大きいと判断し、負荷レベルＤを＋１する（Ｓ４０２）。超えていないと判定した場合は、そのまま負荷レベルＤについての判定を終了する。
【００２７】
なお、図１６では、外気温度の判定の基準値が１つしか設けられていないが、これに限らず、図１７で示されるように、外気温度の判定の基準値を２つ（もしくは２つ以上）設けられるものとしてもよい（Ｓ４１１〜Ｓ４１４）。例えば、まず、制御装置２は、外気センサ２５によって検出された外気温度が、１５℃を超えたかどうかの判定を行い（Ｓ４１１）、超えたと判定した場合は、負荷レベルＤを＋１する（Ｓ４１２）。超えていないと判定した場合は、そのまま負荷レベルＤについての判定を終了する。また、制御装置２は、１５℃を超えたと判断した場合は、次に、その外気温度が３０℃を超えたかどうかの判定を行い（Ｓ４１３）、超えたと判定した場合は、更に負荷レベルＤを＋１する（Ｓ４１４）。
さらに、ここまでの説明において、負荷レベルＤが算出される場合、＋１されるものとしているが、これに限らず、例えば＋２、＋３というように重みを変えてもよい。
【００２８】
図１８は、急冷操作の実施状況に基づいて負荷レベルＥの算出（Ｓ５）のフローチャートである。まず、制御装置２は、冷蔵室１０１の急冷操作が実施されているかどうかの判定を行う(Ｓ５０１)。そして、制御装置２が、急冷操作が実施されていると判定した場合は、負荷レベルＥを＋１する（Ｓ５０２）。
【００２９】
次に、製氷室１０２、切替室１０５、野菜室１０３、冷凍室１０４の順で、それぞれの貯蔵室について、同様に急冷操作が実施されているかどうかの判定を行い（Ｓ５０３、Ｓ５０５、Ｓ５０７、Ｓ５０９）、実施していると判定した場合は、それぞれのステップにおいて負荷レベルＥを＋１する（Ｓ５０４、Ｓ５０６、Ｓ５０８、Ｓ５１０）。各貯蔵室における急冷操作の実施状況ごとに負荷レベルＥに対して演算された結果、最終的に負荷レベルＥが算出される。例えば、冷蔵室１０１、切替室１０５及び野菜室１０３の急冷操作が実施された場合は、負荷レベルＥは３（＝１＋１＋１）と算出される。
【００３０】
なお、図１８では、すべての貯蔵室の急冷操作の実施状況が負荷レベルＥの判定材料とされているが、これに限らず、例えば、冷蔵室１０１及び冷凍室１０４というように、特定の貯蔵室の急冷操作の実施状況だけが判定材料とされるものとしてもよい。
また、どの貯蔵室の急冷操作が実施されても負荷レベルＥが＋１されているが、これに限らず、例えば、冷蔵室１０１の急冷操作が実施されると＋２、冷凍室１０４の急冷操作が実施されると＋３というように、各貯蔵室毎に負荷レベルＥの算出に重みをつけてもよい。
さらに、図１８では、冷蔵室１０１、製氷室１０２、切替室１０５、野菜室１０３、冷凍室１０４の順番で、それぞれの貯蔵室の急冷操作の実施状況に基づいて負荷レベルＥの算出が行われているが、これに限らず、任意の順番で算出されてもよい。
【００３１】
以上のように、本実施の形態では、各貯蔵室の設定温度、その扉の開閉状態、圧縮機の運転状態、外気温度、及び、各貯蔵室の急冷操作の実施状況によって、冷蔵庫の運転負荷状態を、総合的に判断し、それを表示することによって、使用者に対し、より正確な冷蔵庫の運転状態を報知することができる。また、運転状態を報知することによって、使用者に対し、負荷の少ない運転を促すことができる。
【図面の簡単な説明】
【００３２】
【図１】本実施の形態に係る冷蔵庫の正面図である。
【図２】本実施の形態に係る冷蔵庫の側断面図である。
【図３】本実施の形態に係る冷蔵庫の操作パネルの正面図である。
【図４】本実施の形態に係る冷蔵庫の制御ブロック図である。
【図５】本実施の形態に係る冷蔵庫の動作フローチャート（例１）である。
【図６】本実施の形態に係る冷蔵庫の運転負荷状態の表示例である。
【図７】本実施の形態に係る冷蔵庫の動作フローチャート（例２）である。
【図８】本実施の形態に係る冷蔵庫の動作フローチャート（例３）である。
【図９】貯蔵室の設定温度に基づく負荷レベルＡの算出のフローチャートである。
【図１０】貯蔵室の扉の開閉回数に基づく負荷レベルＢの算出のフローチャートである。
【図１１】貯蔵室の扉の開時間に基づく負荷レベルＢの算出のフローチャートである。
【図１２】貯蔵室の扉の開閉時間及び開時間に基づく負荷レベルＢの算出のフローチャートである。
【図１３】圧縮機の回転数に基づく負荷レベルＣの算出のフローチャートである。
【図１４】圧縮機の運転時間に基づく負荷レベルＣの算出のフローチャートである。
【図１５】圧縮機の回転数及び運転時間に基づく負荷レベルＣの算出のフローチャートである。
【図１６】外気温度に基づく負荷レベルＤの算出のフローチャート（例１）である。
【図１７】外気温度に基づく負荷レベルＤの算出のフローチャート（例２）である。
【図１８】急冷操作の実施状況に基づく負荷レベルＥの算出のフローチャートである。
【符号の説明】
【００３３】
１  操作パネル、２  制御装置、３  冷却器、４  圧縮機、５  ファン、６  製氷機、１１  部屋選択スイッチ、１２  温度設定スイッチ、１３  急冷スイッチ、１４  製氷切替スイッチ、１５  表示部、１６  運転状態表示部、１６ａ〜１６ｃ  運転状態ランプ、２１  記憶装置、２３  ドアスイッチ、２４  温度センサ、２５  外気センサ、２６  扉開回数カウント手段、２７  扉開時間計測タイマ、２８  回転数検出手段、２９  運転時間計測タイマ、５１  運転状態検出手段、１００  冷蔵庫、１０１  冷蔵室、１０２  製氷室、１０３  野菜室、１０４  冷凍室、１０５  切替室、１１１  冷蔵室扉、１１２  製氷室扉、１１３  野菜室扉、１１４  冷凍室扉、１１５  切替室扉。
【図１】
2010038449.tif 000003
【図２】
2010038449.tif 000004
【図３】
2010038449.tif 000005
【図４】
2010038449.tif 000006
【図５】
2010038449.tif 000007
【図６】
2010038449.tif 000008
【図７】
2010038449.tif 000009
【図８】
2010038449.tif 000010
【図９】
2010038449.tif 000011
【図１０】
2010038449.tif 000012
【図１１】
2010038449.tif 000013
【図１２】
2010038449.tif 000014
【図１３】
2010038449.tif 000015
【図１４】
2010038449.tif 000016
【図１５】
2010038449.tif 000017
【図１６】
2010038449.tif 000018
【図１７】
2010038449.tif 000019
【図１８】
2010038449.tif 000020